(57)【要約】【課題】故障した部分を取り外して交換が可能な蛍光灯型ＬＥＤ照明管を提供する。【解決手段】本発明では、管体６を含む蛍光灯型ＬＥＤ照明管２０が開示されており、管体６の一端には回転可能な口金ショートカバー８が設けられ、他端には回転接続ヘッド５が設けられ、回転接続ヘッド５は外向きに延伸して口金ロングカバー１に接続している。蛍光灯型ＬＥＤ照明管２０は、各構成部品が実際の使用要求に応じていずれも取り外し可能であり、従来の蛍光灯型ＬＥＤ照明管に比べ、故障が発生した部品を単独で交換可能であるため、資源は節約され浪費は低減される。生活ゴミの発生が減少するため、蛍光灯型ＬＥＤ照明管２０は環境に優しい。口金ショートカバー８は＋９０°〜−９０°で平行回転可能であるため、使用者の任意角度での照射要求を満足する。【選択図】図１
2011113663.tif 000002
【特許請求の範囲】
【請求項１】
筒状の管体を含む蛍光灯型ＬＥＤ照明管であり、前記管体の一端には口金ショートカバーが設けられ、他端には回転接続ヘッドが設けられ、前記回転接続ヘッドは外向きに延伸して口金ロングカバーに接続された蛍光灯型ＬＥＤ照明管であって、
少なくとも前記回転接続ヘッドと前記口金ロングカバーとの間が、着脱自在であることを特徴とする蛍光灯型ＬＥＤ照明管。
【請求項２】
前記口金ショートカバーは、係止位置を介して回転口金に接続されていることを特徴とする請求項１記載の蛍光灯型ＬＥＤ照明管。
【請求項３】
前記口金ロングカバーの一端には１枚のプレートが設けられ、プレート上には突出した挿入ピン銅製片が設けられていることを特徴とする請求項１記載の蛍光灯型ＬＥＤ照明管。
【請求項４】
前記回転接続ヘッドの一端には、プレート上の挿入ピン銅製片と互いに嵌合する接触弾性片が設けられていることを特徴とする請求項３記載の蛍光灯型ＬＥＤ照明管。
【請求項５】
前記回転口金上には、少なくとも一対の銅製ピンが更に設けられていることを特徴とする請求項２記載の蛍光灯型ＬＥＤ照明管。
【請求項６】
前記管体の横断面外形は、円形または四角形を呈することを特徴とする請求項１記載の蛍光灯型ＬＥＤ照明管。
【請求項７】
口金シートカバーと回転口金との間は、＋９０°〜−９０°で回転可能であることを特徴とする請求項２記載の蛍光灯型ＬＥＤ照明管。
【発明の詳細な説明】
【技術分野】
【０００１】
本発明は照明装置に関するものであり、特に蛍光灯型ＬＥＤ照明管に関するものである。
【背景技術】
【０００２】
蛍光灯に比べ、蛍光灯型ＬＥＤ照明管は寿命が長く、発光効率が高く、低電力消費であるとの特徴を備えているため、エネルギが節約されるばかりではなく、環境にも優しい新世代の照明装置である。従来の一例として、例えば特許文献１に記載の蛍光灯型ＬＥＤ照明管１０１の構造は、図２に示す様に、いずれもＬＥＤ照明管の管体１０２内に回路基板１０３及びＬＥＤ発光モジュール１０４が固定設置されている。その他の例として、特許文献２に記載の蛍光灯型ＬＥＤ照明管も知られている。
【先行技術文献】
【特許文献】
【０００３】
【特許文献１】実開平０６−５４１０３号公報
【特許文献２】特開２００７−２５７９２８号公報
【発明の概要】
【発明が解決しようとする課題】
【０００４】
しかし、この様な従来の構造では、ユーザ自身が回路基板１０３とＬＥＤ発光モジュール１０４を分離することは不可能である。そのため、従来技術の蛍光灯型ＬＥＤ照明管１０１では、管体１０２内の回路基板１０３（電子駆動）が損壊すると、ＬＥＤ発光モジュール１０４はたとえ完璧であったとしてもそれに伴い廃棄される。ＬＥＤ発光モジュール１０４が故障すると、管体１０２内の回路基板１０３（電子駆動）はたとえ完璧であったとしてもそれに伴い廃棄せざるを得ないため、資源の浪費となる。通常は、ＬＥＤ発光モジュール１０４の方が回路基板１０３より寿命が長い。
【０００５】
以上の課題に鑑み、改良されたＬＥＤ昼光ランプを提供して上記の課題を克服することが確かに求められている。
【０００６】
本発明の目的は、故障した部分を取り外して交換が可能な蛍光灯型ＬＥＤ照明管を提供し、資源の浪費を低減するとともに、環境を保護することにある。
【課題を解決するための手段】
【０００７】
上記目的を実現するため、本発明では以下の手段を採用している。
【０００８】
その一例として、例えば、筒状の管体（電子駆動）を含む蛍光灯型ＬＥＤ照明管であり、前記管体（電子駆動）の一端には口金ショートカバーが設けられ、他端には回転接続ヘッドが設けられ、前記回転接続ヘッドは外向きに延伸して口金ロングカバーに接続された蛍光灯型ＬＥＤ照明管であって、
少なくとも前記回転接続ヘッドと前記口金ロングカバーとの間が、着脱自在である。
【０００９】
また、例えば、前記口金ショートカバーは、係止位置を介して回転口金に接続し、前記管体（電子駆動）の横断面外形は円形または四角形を呈する。
【００１０】
また、例えば、前記口金ロングカバーの一端には１枚の小プレートが設けられ、プレート上には突出した挿入ピン銅製片が設けられている。
【００１１】
また、例えば、前記回転接続ヘッドの一端には、プレート上の挿入ピン銅製片と互いに嵌合する接触弾性片が設けられている。
【００１２】
また、例えば、前記回転口金上には、少なくとも一対の銅製ピンが更に設けられている。
【００１３】
また、例えば、前記管体の横断面外形は、円形または四角形を呈する。
【００１４】
また、例えば、口金シートカバーと回転口金との間は、＋９０°〜−９０°で回転可能である。
【００１５】
本発明で言及される蛍光灯型ＬＥＤ照明管は、各構成部品が実際の使用要求に応じていずれも取り外し可能であり、従来技術の蛍光灯型ＬＥＤ照明管に比べ、故障が発生した部品を単独で交換可能であるため、資源は節約され、浪費は低減される。また、生活ゴミの発生が減少するため、本発明で言及される蛍光灯型ＬＥＤ照明管は環境に優しいとの利点も備わっている。
【発明の効果】
【００１６】
以上のような本発明によれば、故障した部分を取り外して交換が可能な蛍光灯型ＬＥＤ照明管を提供することが出来る。
【図面の簡単な説明】
【００１７】
【図１】本発明の一実施の形態における蛍光灯型ＬＥＤ照明管の分解見取図
【図２】従来の蛍光灯型ＬＥＤ照明管の断面図
【発明を実施するための形態】
【００１８】
以下、図面を参照して本発明の一実施の形態について説明を行う。
【００１９】
図１を参照すると、本発明の蛍光灯型ＬＥＤ照明管２０には、ＬＥＤ発光モジュール７を内部に配置した筒状の管体６（電子駆動）が含まれ、前記管体６（電子駆動）の一端には口金ショートカバー８が設けられ、他端には回転接続ヘッド５が設けられ、前記回転接続ヘッド５は外向きに延伸して口金ロングカバー１に接続している。
【００２０】
口金ショートカバー８は略円筒型構造を呈しており、その中央に通過孔が設けられている。口金ショートカバー８の一端の内側には係止位置が設けられ、回転口金９に外部接続している。回転口金９上にはＬＥＤ発光モジュール７のベースに挿入接続するための銅製ピン１０が設けられている。尚、本実施の形態の蛍光灯型ＬＥＤ発光管２０は、この両端の銅製ピン１０を介して、既存の蛍光灯器具（図示省略）に装着可能な構造である。
【００２１】
回転接続ヘッド５は管体６の一端に接続し、その端面上に２対の接触弾性片４（メス型電気接続用端子）が設けられ、回転接続ヘッド５と電気的に接続するＰＣプレート２上に２対の挿入ピン銅製片３（オス型電気接続用端子）が設けられている。ＬＥＤ発光モジュール７にオス型電気接続用端子４を介して電源を供給するための電源回路（図示省略）が、口金ロングカバー１の内部に配置されている。
【００２２】
口金ロングカバー１は中空の略円筒型構造を呈しており、回転接続ヘッド５は外向きに延伸して口金ロングカバー１に、メス型電気接続用端子４及びオス型電気接続用端子３を介して電気的に接続している。
【００２３】
本発明の蛍光灯型ＬＥＤ照明管の管体６及び口金ロングカバー１の横断面外形は円形に限らず、例えば四角形等の多角形でも良く、その外側にＰＣケーシングが嵌設されている。ＰＣケーシングの内側にはアルミニウムベースが更に設けられている。
【００２４】
蛍光灯型ＬＥＤ照明管２０の各構成部品はいずれも単独で交換可能である。そのため、従来技術の蛍光灯型ＬＥＤ照明管に比べ、資源は節約され、浪費は低減する。
【００２５】
具体的には、例えば、回転口金９と口金ショートカバー８と、ＬＥＤ発光モジュール７を内蔵した管体６と、回転接続ヘッド５等とを含むＬＥＤ発光モジュール組品Ａが、交換部品として単独で供給可能となっており、ＰＣプレート２と、口金ロングカバー１と、回転口金９等とを含む口金ロングカバー組品Ｂが、交換部品として単独で供給可能となっている。
【００２６】
従って、ユーザが、蛍光灯型ＬＥＤ照明管２０を使用していて、点灯しなくなった場合、それを販売店に持ち込んで、ＬＥＤ発光モジュール組品Ａと、口金ロングカバー組品Ｂとの内、何れが故障しているのかをチェックしてもらう。その結果、口金ロングカバー組品Ｂが故障しているとすれば、その組品Ｂのみを購入すれば、まだ使用可能な組品Ａと接続することにより、蛍光灯型ＬＥＤ照明管２０は再び使用可能となる。
【００２７】
また、これに限らずたとえば、ＬＥＤ発光モジュール組品Ａに比べて寿命の短い口金ロングカバー組品Ｂを交換用部品として、蛍光灯型ＬＥＤ発光管２０に付属してセットで販売されている場合も考えられる。その場合でも、ユーザは自宅で、簡単に交換が可能となる。
【００２８】
尚、ユーザが自宅で、より簡単に交換できるようにする為に、例えば、口金ロングカバー１の内部に予めスペアー用の電源回路を１つ又は複数余分に内蔵しておいて、電源回路が故障した場合、ユーザが簡単に、スペアー用の電源回路側に電気接続を切り替えられる構造にしておけば、実質的には交換用部品を付属しているのと同じ効果で、且つ、よりコストダウンが図れる。ここで、スペアー用の電源回路側に電気接続を切り替える構造としては、例えば、口金ロングカバー１の表面に切り替えスイッチとしてのプッシュスイッチ、シーソースイッチ又はスライドスイッチ等を設けても良いし、あるいは、口金ロングカバー１の一部の表面をその円周方向に回転可能な二重構造にしておいて、その部分を手で回転させることにより電気接続が切り替わる構成でも良い。また、上記構造によれば、スペアー用の電源回路が全て故障した場合は、上述した様に口金ロングカバー組品Ｂのみ交換すれば良いし、ＬＥＤ発光モジュール組品Ａが故障した場合は、ＬＥＤ発光モジュール組品Ａのみ交換することが出来る。
【００２９】
口金ショートカバー８は回転可能である。蛍光灯型ＬＥＤ照明管は発光方向が３６０度発光ではないため、取付時に発光角度が顧客の要求に完全に従うことはできないが、本回転口金ショートカバー８は回転口金９に対して＋９０度〜−９０度で平行回転可能であるため、本実施の形態の蛍光灯型ＬＥＤ蛍光管２０を蛍光灯器具に装着したまま、使用者が所望する角度に調整できるので、任意角度での照射要求を満足する。
【００３０】
本発明の蛍光灯型ＬＥＤ照明管は、本願明細書及び図面での記述に限るものではなく、当業者であればその他の利点及び変更を容易に実現可能であるため、特許請求範囲及び同等範囲が限定する一般概念の精神及び範囲を乖離しない状況下において、本発明は特定の細目、代表的な設備及びそこで描かれている図示例に限定されるものではない。
【産業上の利用可能性】
【００３１】
本発明にかかる蛍光灯型ＬＥＤ照明管は、故障した部分を取り外して交換が可能になるという効果を有し、照明装置等として有用である。
【符号の説明】
【００３２】
１    口金ロングカバー
２    ＰＣプレート
３    挿入ピン銅製片３（オス型電気接続用端子）
４    接触弾性片４（メス型電気接続用端子）
５    回転接続ヘッド
６    管体
７    ＬＥＤ発光モジュール
８    口金ショートカバー
９    回転口金
１０  銅製ピン
２０  蛍光灯型ＬＥＤ照明管
【図１】
2011113663.tif 000003
【図２】
2011113663.tif 000004
【手続補正書】
【提出日】平成22年2月15日(2010.2.15)
【手続補正１】
【補正対象書類名】特許請求の範囲
【補正対象項目名】全文
【補正方法】変更
【補正の内容】
【特許請求の範囲】
【請求項１】
筒状の管体を含む蛍光灯型ＬＥＤ照明管であり、前記管体の一端には口金ショートカバーが設けられ、他端には回転接続ヘッドが設けられ、前記回転接続ヘッドは外向きに延伸して口金ロングカバーに接続された蛍光灯型ＬＥＤ照明管であって、
前記管体の内部にはＬＥＤ発光モジュールが配置されており、
前記口金ロングカバーの内部には、前記ＬＥＤ発光モジュールに電源を供給するための電源回路と、前記電源回路が故障した時に使用するスペアー用電源回路とが設けられており、
前記口金ロングカバーの表面には、前記電源回路から前記スペアー用電源回路への切り替えを行うための切り替えスイッチが設けられており、
少なくとも前記回転接続ヘッドと前記口金ロングカバーとの間が、着脱自在であることを特徴とする蛍光灯型ＬＥＤ照明管。
【請求項２】
前記口金ショートカバーは、係止位置を介して回転口金に接続されていることを特徴とする請求項１記載の蛍光灯型ＬＥＤ照明管。
【請求項３】
前記口金ロングカバーの一端には１枚のプレートが設けられ、前記プレート上には突出した挿入ピン銅製片が設けられていることを特徴とする請求項１記載の蛍光灯型ＬＥＤ照明管。
【請求項４】
前記回転接続ヘッドの一端には、前記プレート上の前記挿入ピン銅製片と互いに嵌合する接触弾性片が設けられていることを特徴とする請求項３記載の蛍光灯型ＬＥＤ照明管。
【請求項５】
前記回転口金上には、少なくとも一対の銅製ピンが更に設けられていることを特徴とする請求項２記載の蛍光灯型ＬＥＤ照明管。
【請求項６】
前記管体の横断面外形は、円形または四角形を呈することを特徴とする請求項１記載の蛍光灯型ＬＥＤ照明管。
【請求項７】
前記口金ショートカバーと前記回転口金との間は、＋９０°〜−９０°で回転可能であることを特徴とする請求項２記載の蛍光灯型ＬＥＤ照明管。
【手続補正２】
【補正対象書類名】明細書
【補正対象項目名】０００８
【補正方法】変更
【補正の内容】
【０００８】
その一例として、例えば、筒状の管体（電子駆動）を含む蛍光灯型ＬＥＤ照明管であり、前記管体（電子駆動）の一端には口金ショートカバーが設けられ、他端には回転接続ヘッドが設けられ、前記回転接続ヘッドは外向きに延伸して口金ロングカバーに接続された蛍光灯型ＬＥＤ照明管であって、
前記管体の内部にはＬＥＤ発光モジュールが配置されており、
前記口金ロングカバーの内部には、前記ＬＥＤ発光モジュールに電源を供給するための電源回路と、前記電源回路が故障した時に使用するスペアー用電源回路とが設けられており、
前記口金ロングカバーの表面には、前記電源回路から前記スペアー用電源回路への切り替えを行うための切り替えスイッチが設けられており、
少なくとも前記回転接続ヘッドと前記口金ロングカバーとの間が、着脱自在である。
【手続補正３】
【補正対象書類名】明細書
【補正対象項目名】００１４
【補正方法】変更
【補正の内容】
【００１４】
また、例えば、前記口金ショートカバーと前記回転口金との間は、＋９０°〜−９０°で回転可能である。
【手続補正４】
【補正対象書類名】明細書
【補正対象項目名】００２１
【補正方法】変更
【補正の内容】
【００２１】
回転接続ヘッド５は管体６の一端に接続し、その端面上に２対の接触弾性片４（メス型電気接続用端子）が設けられ、回転接続ヘッド５と電気的に接続するＰＣプレート２上に２対の挿入ピン銅製片３（オス型電気接続用端子）が設けられている。ＬＥＤ発光モジュール７にオス型電気接続用端子３を介して電源を供給するための電源回路（図示省略）が、口金ロングカバー１の内部に配置されている。